(57)【要約】      （修正有）【課題】足の裏とすねを同時にマッサージできる脚部マッサージャーを提供する。【解決手段】上ハウジング１１と底部１２とから構成され、その上に操作パネルと脚を収納するための二つの収納空間が設けられる主体と、モータにより伝達機構を介して伝動軸を駆動し、それに連動して二つのローラーセット３３が回転し、二つのマッサージ板３６，３７が左右に振れて、ローラーセットの前後端にペダルがあり、伝動軸に光盤４０が設けられ、光盤の一側に光電検知器が設けられ、光電検知器がモータの回転方向や速度を制御する電子配線制御装置に接続され、専門マッサージ師のマッサージを真似できる足の裏マッサージ装置とが、含有される脚部マッサージャーである。【選択図】図２
0003121766.tif 000002
【実用新案登録請求の範囲】
【請求項１】
上ハウジングと底部とから構成され、その上に、操作パネルと脚を収納するための二つの収納空間が設けられる主体と、
モータにより、伝達機構を介して伝動軸を駆動し、それに連動して、二つのローラーセットが回転し、二つのマッサージ板が左右に振れて、ローラーセットの前後端に、ペダルがあり、伝動軸に、光盤が設けられ、光盤の一側に、光電検知器が設けられ、当該光電検知器が、モータの回転方向や速度を制御する電子配線制御装置に接続され、専門マッサージ師のマッサージを真似できる足の裏マッサージ装置と、が含有される、ことを特徴とする脚部マッサージャー。
【請求項２】
当該ペダルに、電熱シートが設けられることを特徴とする請求項１に記載の脚部マッサージャー。
【請求項３】
マッサージ板の一側に、弾性素子が設けられることを特徴とする請求項１に記載の脚部マッサージャー。
【請求項４】
上ハウジングと底部とから構成され、その上に、操作パネルとすねを含む脚を収納するための二つの収納空間が設けられる主体と、
主体の収納空間の両側に設けられる二つのエアバッグがあり、当該エアバッグが、パイプを介してエアポンプに接続され、エアバッグの膨張や収縮により、すねに対して、気圧による圧迫マッサージの効果が得られるすねマッサージ装置と、が含有されることを特徴とする脚部マッサージャー。
【請求項５】
エアバッグは、内部から外へ向かって縮小するような多環式階段状であることを特徴とする請求項４に記載の脚部マッサージャー。
【考案の詳細な説明】
【技術分野】
【０００１】
本考案は、脚部マッサージャーに関し、特に、同時に足の裏とすねをマッサージでき、また、定点式マッサージにより、より良いマッサージ効果が得られるものに関する。
【背景技術】
【０００２】
従来の脚部に使用されるマッサージャーは、大雑把に脚部マッサージャーとすねマッサージャーの２種類があり、前者は、主として、ローラ装置と左右マッサージ板とがあり、モータにより伝達機構と偏心カム素子とを介して、ローラを回転させたり、左右マッサージ板を左右に振れさせたりして、足の裏やその両側に対して、圧迫や揉みのマッサージ効果が得られるが、従来のマッサージャーは、固定式且つ一方向であるマッサージを行うため、実用的ではない。
【０００３】
すねマッサージャーは、すねの両側に位置するように、左右マッサージ板があり、駆動機構により、偏心カム素子を介して、左右マッサージ板が左右に振れることにより、すねに対して揉みや圧迫のマッサージ効果が得られ、しかし、マッサージ板が硬くて、筋肉が、圧迫や摩擦により、痛くなるや傷付けるなどの問題点がある。
【考案の開示】
【考案が解決しようとする課題】
【０００４】
本考案の主な目的は、同時に、足の裏とすねとをマッサージできる脚部マッサージャーを提供する。
【０００５】
本考案の他の目的は、回転方向や定点を制御でき、専門マッサージ師のマッサージ効果を真似できる脚部マッサージャーを提供する。
【０００６】
本考案の他の目的は、すねに対して気圧によりマッサージし、すねの筋肉に傷付くことがない脚部マッサージャーを提供する。
【課題を解決するための手段】
【０００７】
請求項１の考案は、上ハウジングと底部とから構成され、その上に、操作パネルと脚を収納するための二つの収納空間が設けられる主体と、モータにより、伝達機構を介して伝動軸を駆動し、それに連動して、二つのローラーセットが回転し、二つのマッサージ板が左右に振れて、ローラーセットの前後端に、ペダルがあり、伝動軸に、光盤が設けられ、光盤の一側に、光電検知器が設けられ、当該光電検知器が、モータの回転方向や速度を制御する電子配線制御装置に接続され、専門マッサージ師のマッサージを真似できる足の裏マッサージ装置と、が含有される、ことを特徴とする脚部マッサージャーである。
【０００８】
請求項２の考案は、当該ペダルに、電熱シートが設けられることを特徴とする請求項１に記載の脚部マッサージャーである。
【０００９】
請求項３の考案は、マッサージ板の一側に、弾性素子が設けられることを特徴とする請求項１に記載の脚部マッサージャーである。
【００１０】
請求項４の考案は、上ハウジングと底部とから構成され、その上に、操作パネルとすねを含む脚を収納するための二つの収納空間が設けられる主体と、主体の収納空間の両側に設けられる二つのエアバッグがあり、当該エアバッグが、パイプを介してエアポンプに接続され、エアバッグの膨張や収縮により、すねに対して、気圧による圧迫マッサージの効果が得られるすねマッサージ装置と、が含有される、ことを特徴とする脚部マッサージャーである。
【００１１】
請求項５の考案は、エアバッグが、内部から外へ向かって縮小するような多環式階段状であることを特徴とする請求項４に記載の脚部マッサージャーである。
【考案を実施するための最良の形態】
【００１２】
本考案は、図１乃至４のように、主体１と、当該主体１の底端に設けられる足の裏マッサージ装置３と、当該主体１の内部の上端に設けられるすねマッサージ装置５と、からなり、
主体１は、上ハウジング１１と底部１２とから構成され、上ハウジング１１は、前半ハウジングと後半ハウジングとからなり、上端に、二つの収納空間１３と、二つの収納空間１３の中間に位置する操作パネル１４とがあり、当該二つの収納空間１３に、内外層を有する布カバー１５が覆われ、内外層を有する布カバー１５同士が、ファスナー１６によって接合され、これにより、外層の布カバーを外して清潔できる。
【００１３】
足の裏マッサージ装置３は、モータＭにより、伝達機構３１を介して、伝動軸３２と二つのローラーセット３３を回転させ、当該ローラーセット３３が伝動軸３２に設置され、前後端に、それぞれ、足の裏が踏むためのペダル３４が設置され、当該ペダル３４の上に、足の裏を暖めるや温灸するための電熱シート３５が設けられ、当該ローラーセット３３の両側に、マッサージ板３６、３７が設けられ、内側のマッサージ板３６の外側に、弾性素子３８(例えば、バネ)が設けられ、外側のマッサージ板３７の外側に、１組の偏心カム素子３９が設けられ、また、当該伝動軸３１の中央に、更に、光盤４０が設けられ、当該光盤４０の一側に、電子配線制御装置(図７を参照しながら)が接続される光電検知器４１が設けられ、モータＭの回転方向や速度を制御する。
【００１４】
すねマッサージ装置５は、主として、二つのエアバッグ５１があり、パイプ５２を介してエアポンプ５３に接続され、当該二つのエアバッグ５１は、主体１にある二つの収納空間１３の両側に設けられ、内部から外へ向かって縮小するような多環式階段状であり、エアを注入すると、外へ向かって膨張して拡張し、エアポンプ５３は、主体１の底端(即ち、底部１２の上)に設けられる。
【００１５】
図４乃至６を参照しながら、使用する時、ユーザーが、脚を、主体１の二つの収納空間１３に入れ込み、足の裏がペダル３４を踏むようにし、すねも、収納空間１３の内部に位置し、モータＭにより、伝達機構３１を介して伝動軸３２を駆動し、ローラーセット３３が連動されて、マッサージ板３６、３７と光盤４１とが、回転され、これにより、足の裏が、ローラーセット３３がロールして押えることによりマッサージされ、また、ペダル３４上の電熱シート３５により、温灸の効果が得られ、また、二つのマッサージ板３６、３７が左右に振れて、揉みや圧迫のマッサージ効果が得られる。
【００１６】
上記の足の裏マッサージ装置３が作動する時、光盤４０が伝動軸３２に連動して回転するため、光電検知器４１で、信号を送信し、電子配線により制御されるマイクロコンピュータ制御器を介して、図７のように、更に整流フィルタループと電圧恒圧ループ、パルス幅変調ループ及び電力駆動回路により、モータＭの回転方向を制御し、その後、伝達機構３１を介して、足の裏マッサージ装置３と光盤４０を駆動し、例えば、ユーザーが、操作パネル１４を介して、必要に応じて、回転や定点式を設定してマッサージを制御し、例えば、モータＭが正方向にローラーセット３３とマッサージ板３６、３７を連動して、正方向に、揉みや圧のようなマッサージを、三回行うと、モータＭが逆方向にローラーセット３とマッサージ板３６、３７を連動して、逆方向に、揉みや圧迫のようなマッサージを、五回行うように、定点式により、マッサージの効果が強化される。
【００１７】
本考案の電子配線制御装置は、マイクロコンピュータにより演算を制御し、また、モータＭにより伝達機構を駆動して回転方向を制御し、また、光電検知器４１により光盤４０の位置を検知して速度制御をし、そのため、マイクロコンピュータのソフトウェアにより、精密に演算を行ってサーバの目的を達成し、また、回転方向や定点制御により、専門マッサージ師のマッサージを真似できる。
【００１８】
図２、３、８のように、主体の収納空間１３の両側に位置するエアバッグ５１は、エアポンプ５３により、パイプ５２を介して、エアの注入と排出を行い、これにより、エアバッグが膨張して拡張することと収縮することができ、エアバッグ４１が絶えずに拡張と収縮することにより、すねに対してマッサージをする効果が得られる。
【００１９】
以上の説明から分かるように、本考案は、少なくとも、次の利点や効果が得られる。
【００２０】
１、マッサージ板の外側に、伸縮可能の弾性素子３８が設けられるため、二つのマッサージ板３６、３７の距離が、適当に拡張でき、異なるサイズの足の裏が引き受けられ、足の裏をマッサージできる。
【００２１】
２、足の裏をマッサージする時、圧迫や温灸及び揉み等の多重のマッサージ効果が得られる。
【００２２】
３、足の裏マッサージの圧迫や揉みは、更に、定点式や回転制御に設定することができ、定点式により、マッサージの効果が強化される。
【００２３】
４、すねに対して、気圧式の圧迫マッサージを行うため、快適だけでなく、すねの筋肉に傷付けることがない。
【図面の簡単な説明】
【００２４】
【図１】本考案の立体図
【図２】本考案の上面図
【図３】本考案の側面図
【図４】本考案に係わる足の裏マッサージ装置の上面図
【図５】本考案に係わる足の裏マッサージ装置の動作概念図１
【図６】本考案に係わる足の裏マッサージ装置の動作概念図２
【図７】本考案に係わる足の裏マッサージ装置の電子配線制御ブロック図
【図８】本考案に係わるすねマッサージ装置の動作概念図
【符号の説明】
【００２５】
１      主体
１１    上ハウジング
１２    底部
１３    収納空間
１４    操作パネル
１５    布カバー
１６    ファスナー
３      足の裏マッサージ装置
３１    伝達機構
３２    伝動軸
３３    ローラーセット
３４    ペダル
３５    電熱シート
３６、３７    マッサージ板
３８    弾性素子
３９    偏心カム素子
４０    光盤
４１    光電検知器
５      すねマッサージ装置
５１    エアバッグ
５２    パイプ
５３    エアポンプ
Ｍ      モータ
【図１】
0003121766.tif 000003
【図２】
0003121766.tif 000004
【図３】
0003121766.tif 000005
【図４】
0003121766.tif 000006
【図５】
0003121766.tif 000007
【図６】
0003121766.tif 000008
【図７】
0003121766.tif 000009
【図８】
0003121766.tif 000010